(57)【特許請求の範囲】
【請求項１】
情報配信サービスの一人の被提供者に対応づけて登録された複数の送信先アドレスのそれぞれについて送信した電子メールについて、開封処理が実行された時間を特定し、
特定した前記開封処理が実行された時間と前記開封処理が実行された電子メールの送信先アドレスとの関係に基づき、前記情報配信サービスの前記一人の被提供者に電子メールを送信する時間と、該一人の被提供者に電子メールを送信する際に用いる電子メールの送信先アドレスを選択する、
ことを特徴とする情報配信装置。
【請求項２】
送信先アドレスごとに、当該送信先アドレスに送信された複数の電子メールの送信時間の間隔と、前記複数の電子メールのうち開封処理が実行された各電子メールの送信時間の間隔とに基づいて、電子メールの送信時間の間隔ごとの開封率を算出し、
前記情報配信サービスの被提供者に送信する電子メールについて選択される送信先アドレスに関して、前回の電子メールの送信時間との間隔について算出された開封率が所定値を超える時間を、当該電子メールを送信する時間として決定する、
ことを特徴とする請求項１記載の情報配信装置。
【請求項３】
情報配信サービスの一人の被提供者に対応づけて登録された複数の送信先アドレスのそれぞれに送信した電子メールについて、送信した電子メールに含まれるリンク先へのアクセスが実行された時間を特定し、
特定した前記リンク先へのアクセスが実行された時間と前記リンク先へのアクセスが実行された送信先アドレスとの関係に基づき、前記情報配信サービスの前記一人の被提供者に電子メールを送信する時間と、該一人の被提供者に電子メールを送信する際に用いる電子メールの送信先アドレスを選択する、
ことを特徴とする情報配信装置。
【請求項４】
情報配信サービスの一人の被提供者に対応づけて登録された複数の送信先アドレスのそれぞれについて送信した電子メールについて、開封処理が実行された時間を特定し、
特定した前記開封処理が実行された時間と前記開封処理が実行された電子メールの送信先アドレスとの関係に基づき、前記情報配信サービスの前記一人の被提供者に電子メールを送信する時間と、該一人の被提供者に電子メールを送信する際に用いる電子メールの送信先アドレスを選択する、
処理をコンピュータが実行することを特徴とする情報配信方法。
【請求項５】
送信先アドレスごとに、当該送信先アドレスに送信された複数の電子メールの送信時間の間隔と、前記複数の電子メールのうち開封処理が実行された各電子メールの送信時間の間隔とに基づいて、電子メールの送信時間の間隔ごとの開封率を算出し、
前記情報配信サービスの被提供者に送信する電子メールについて選択される送信先アドレスに関して、前回の電子メールの送信時間との間隔について算出された開封率が所定値を超える時間を、当該電子メールを送信する時間として決定する、
処理を前記コンピュータが実行することを特徴とする請求項４記載の情報配信方法。
【請求項６】
情報配信サービスの一人の被提供者に対応づけて登録された複数の送信先アドレスのそれぞれに送信した電子メールについて、送信した電子メールに含まれるリンク先へのアクセスが実行された時間を特定し、
特定した前記リンク先へのアクセスが実行された時間と前記リンク先へのアクセスが実行された送信先アドレスとの関係に基づき、前記情報配信サービスの前記一人の被提供者に電子メールを送信する時間と、該一人の被提供者に電子メールを送信する際に用いる電子メールの送信先アドレスを選択する、
処理をコンピュータが実行することを特徴とする情報配信方法。
【発明の詳細な説明】
【技術分野】
【０００１】
本発明は、情報配信装置及び情報配信方法に関し、特に予め登録されたメールアドレスに対して電子メールを配信する情報配信装置及び情報配信方法に関する。
【背景技術】
【０００２】
ネットワーク技術を利用した情報配信の一形態として、オプトイン・ターゲティングメール（一般的に、メールマガジン又はメルマガとも呼ばれている。以下、「情報メール」という。）が存在する。情報メールの配信者は、予め購読者に対して情報メールの内容（例えば、政治、経済、スポーツ又は芸能等のカテゴリの別）、情報メールのデータ形式（テキスト形式又はＨＴＭＬ形式等の別）、又は配信頻度（毎日、隔週、週一回等の別）等をホームページ等において設定させることにより、できるだけ購読者の嗜好に合った情報を配信するよう努めている（例えば、特許文献１）。
【先行技術文献】
【特許文献】
【０００３】
【特許文献１】特開２００２−１５０１４７号公報
【発明の概要】
【発明が解決しようとする課題】
【０００４】
しかしながら、情報メールの購読者はそのサービス内容に必ずしも満足していないようである。例えば、オプトイン・ターゲティングメールに対する改善要望についてのあるアンケートに対して、以下のような結果が得られている。
【０００５】
１．ポイント・プレゼントに関して問題がある。
【０００６】
２．メールのデザインや分量に問題がある。
【０００７】
３．不要な情報が届く／希望する情報と一致しない。
【０００８】
４．解除方法など、システム上の問題がある。
【０００９】
５．送付頻度に問題がある。
【００１０】
このアンケート結果より、購読者は、メールの内容（カテゴリ）、配信量及び配信頻度等に不満を感じていることを窺い知ることができる。これらの不満は情報メールの開封率の低下や、解約数の増加の要因となっており、メール配信数及び広告クリック数等で利益を得ているメール配信者にとっては悩みの種となっている。
【００１１】
購読者の設定通りに情報メールを配信しているにもかかわらず、購読者が不満を感じる主な原因として、以下のようなものが推測される。
【００１２】
一つの原因として、購読者の希望していた情報であるにもかかわらず、購読者にとっては望まない内容のメールが、望まない時間帯に、望まない端末に配信されてしまうことが挙げられる。例えば、購読者の希望としては、朝には携帯電話で天気予報を確認し、昼には職場のＰＣ（Personal  Computer）で経済ニュースを確認したいにもかかわらず、朝には職場のＰＣに天気予報が配信され、昼には携帯電話に経済ニュースが配信されてしまうといった具合である。
【００１３】
情報メールは、購読者にとって最適な時間帯、文章量、及び端末に配信されてこそ購読者にとって有効な情報となる。しかし、従来のシステムでは、配信時間、配信量及び配信先等まで限定した制御まで行われていなかったため、購読者の希望とずれた時間帯、文章量等のメールが配信されてしまうことになる。
【００１４】
別の原因としてとして、購読者の望む配信時間帯、文章量、配信頻度等は日々移り変わっていくことが挙げられる。購読者のニーズに変化があっても、購読開始時の設定内容に基づいて配信されてしまうため、購読者にとっては興味が薄れた内容のメールが配信されてしまうことになる。
【００１５】
更に別の原因として、他のメールに埋もれてしまうことが挙げられる。複数の情報メールを購読している購読者は、メーラーを起動したときに複数の情報メールやプライベートのメール等を一度に受信する。当初購読を希望されて登録された情報メールであっても、他のメールに埋もれてしまっては、開封もされずに削除されかねない。
【００１６】
本発明は、上記の点に鑑みてなされたものであって、情報配信に対する各ユーザのニーズを適切に把握することのできる情報配信装置及び情報配信方法の提供を目的とする。
【課題を解決するための手段】
【００１７】
そこで上記課題を解決するため、情報配信装置は、予め登録されたメールアドレスに対して電子メールを配信する情報配信装置であって、前記電子メールの購読者ごとに、当該購読者の識別子及び複数のメールアドレスを記憶する購読者情報管理手段と、前記メールアドレスに対して配信した電子メールごとに、当該電子メールの識別子、購読者の識別子、及び配信先のメールアドレスを含む配信情報を記憶する配信情報管理手段と、前記電子メールが購読者端末において開封又は電子メール内のリンクがクリックされたときに前記購読者端末より送信される当該電子メールの識別子を含む通知を受信し、該通知が受信された時間と、当該電子メールの識別子とを履歴管理手段に記録する履歴記録手段と、前記配信情報管理手段に記憶された前記購読者の識別子及び前記メールアドレスごとに、当該購読者の識別子及び当該メールアドレスに係る前記各配信情報に含まれる前記電子メールの識別子に対して前記履歴管理手段に記録されている時間に基づいて、配信時期を判定する判定手段と、前記判定手段による判定結果に基づいて前記電子メールを配信する配信手段とを有することを特徴とする。
【００１８】
このような情報配信装置では、ユーザの過去の開封時期に基づいて効果的な配信時期を判定することができる。また、メールアドレスごとに配信時期が判定される。したがって、ユーザが複数のメールアドレスを登録している場合であっても、メールアドレスごとに適切な配信時期を把握することができる。
【００１９】
また、上記課題を解決するため、本発明は、上記情報配信装置における情報配信方法としてもよい。
【発明の効果】
【００２０】
情報配信に対する各ユーザのニーズを適切に把握することのできる情報配信装置及び情報配信方法を提供することができる。
【図面の簡単な説明】
【００２１】
【図１】本発明の実施の形態における情報メール配信システムの構成例を示す図である。
【図２】原稿情報管理テーブルの構成例を示す図である。
【図３】広告情報管理テーブルの構成例を示す図である。
【図４】購読者情報管理テーブルの構成例を示す図である。
【図５】開封履歴管理テーブルの構成例を示す図である。
【図６】クリック履歴管理テーブルの構成例を示す図である。
【図７】購読者ＡさんのＸ曜日のタイムテーブルの概念図である。
【図８】配信情報管理テーブルの構成例を示す図である。
【図９】本発明の実施の形態における情報メール配信サーバのハードウェア構成例を示す図である。
【図１０】ユーザ管理部による購読者登録処理を説明するためのフローチャートである。
【図１１】購読者登録ページの表示例を示す図である。
【図１２】デフォルトタイムテーブル管理テーブルの構成例を示す図である。
【図１３】開封情報の取得処理を説明するためのフローチャートである。
【図１４】クリック情報の取得処理を説明するためのフローチャートである。
【図１５】情報メールの本文の例を示す図である。
【図１６】開封率・クリック率タイムテーブルの構成例を示す図である。
【図１７】配信量タイムテーブルの構成例を示す図である。
【図１８】配信間隔タイムテーブルの構成例を示す図である。
【図１９】タイムテーブル作成処理を説明するためのフローチャートである。
【図２０】開封率・クリック率タイムテーブルの作成処理を説明するためのフローチャートである。
【図２１】開封可能期間の判定方法を説明するための図である。
【図２２】開封期間及び開封後期間の判定方法を説明するための図である。
【図２３】開封ポイント及び開封可能ポイント並びに総開封ポイント及び総開封可能ポイントの算出例を示す図である。
【図２４】クリック期間及び非クリック期間の判定方法を説明するための図である。
【図２５】クリックポイント及びクリック可能ポイント並びに総クリックポイント及び総クリック可能ポイントの算出例を示す図である。
【図２６】配信量タイムテーブルの作成処理を説明するためのフローチャートである。
【図２７】配信間隔タイムテーブルの作成処理を説明するためのフローチャートである。
【図２８】配信情報登録処理を説明するためのフローチャートである。
【図２９】開封率・クリック率タイムテーブルにおける開封率及びクリック率に基づく配信対象ジャンルの選択処理を説明するためのフローチャートである。
【図３０】一通分の情報メールの生成処理を説明するためのフローチャートである。
【発明を実施するための形態】
【００２２】
以下、図面に基づいて本発明の実施の形態を説明する。図１は、本発明の実施の形態における情報メール配信システムの構成例を示す図である。図１において、情報メール配信システム１は、インターネット、イントラネット又はＬＡＮ（Local  Area  Network）等のネットワーク（有線又は無線の別は問わない）によって相互に接続された、情報メール配信サーバ１０、購読者端末２０及び管理者端末３０等によって構成されている。
【００２３】
購読者端末２０は、情報メール配信サーバ１０によって配信される電子メール（以下、「情報メール」という。）の購読者が、情報メールの受信及び購読等に利用する端末であり、Ｗｅｂブラウザ２１及びメーラー２２等のソフトウェアが実装されている。Ｗｅｂブラウザ２１及びメーラー２２は所定のものに限定されず、一般的なＷｅｂブラウザ又はメーラーでよい。なお、購読者端末２０は、購読者一人に一台とは限らない。例えば、一人の購読者に関して、その購読者の自宅のＰＣ（Personal  Computer）、職場のＰＣ（Personal  Computer）、及び携帯電話のそれぞれが購読者端末２０となり得る。
【００２４】
管理者端末３０は、情報メール配信システム１の管理者が、情報メールに掲載する原稿や広告等に関する情報（以下「原稿情報」又は「広告情報」という。）を情報メール配信サーバ１０に登録するために利用するＰＣ（Personal  Computer）等の端末であり、Ｗｅｂブラウザ３１等のソフトウェアが実装されている。管理者は、例えば、Ｗｅｂブラウザ３１に表示されるＷｅｂページを介して原稿情報や広告情報を入力する。なお、Ｗｅｂブラウザ３１は所定のものに限定されず、一般的なＷｅｂブラウザでよい。
【００２５】
情報メール配信サーバ１０は、購読者端末２０に対して所定の情報が掲載された情報メールを配信するコンピュータであり、ユーザ管理部１１、履歴情報取得部１２、原稿登録部１３、広告原稿登録部１４、タイムテーブル作成部１５、配信情報登録部１６、情報メール配信部１７、購読者情報管理テーブル５１、開封履歴管理テーブル５２、クリック履歴管理テーブル５３、原稿情報管理テーブル５４、広告情報管理テーブル５５、デフォルトタイムテーブル管理テーブル５６、及び配信情報管理テーブル５７等より構成される。
【００２６】
原稿登録部１３は、情報メールの原稿情報を管理者端末３０より受信し、原稿情報管理テーブル５４に登録する。
【００２７】
図２は、原稿情報管理テーブルの構成例を示す図である。図２において原稿情報管理テーブル５４は、一つのレコードで一つの原稿に関する原稿情報を管理するテーブルであり、各レコードは、原稿ＩＤ、原稿種別、登録日時、原稿内容、及び原稿行数等の項目から構成される。
【００２８】
原稿ＩＤは、各原稿情報を識別するためのＩＤが保持される項目である。原稿種別は、原稿のジャンル（例えば、ニュース、芸能情報又はスポーツ情報等の別）が保持される項目である。登録日時は、原稿情報が登録された日時が保持される項目である。原稿内容は、原稿１件分の内容（テキスト情報等）が保持される項目である。原稿行数は原稿の行数が保持される項目である。
【００２９】
なお、本実施の形態において情報メールと原稿とは必ずしも一対一に対応しない。すなわち、一通の情報メールは複数の原稿を含み得る。
【００３０】
広告原稿登録部１４（図１）は、情報メールの広告情報を管理者端末３０より受信し、広告情報管理テーブル５５に登録する。
【００３１】
図３は、広告情報管理テーブルの構成例を示す図である。図３において広告情報管理テーブル５５は、一つのレコードで一つの広告に関する広告情報を管理するテーブルであり、各レコードは、広告ＩＤ、広告種別、登録日時、付与ポイント、広告内容、及び広告行数、リンク先アドレス、及び遷移先アドレス等の項目から構成される。
【００３２】
広告ＩＤは、各広告情報を識別するためのＩＤが保持される項目である。広告種別は、広告のジャンルが保持される項目である。登録日時は、広告情報が登録された日時が保持される項目である。付与ポイントは、当該広告のリンクにアクセスされた際に購読者に対して付与されるポイントが保持される項目である。ポイントは、例えば、購読者に対して特典を与えるための指標として用いられる。
【００３３】
広告内容は、広告１件分の内容（テキスト情報等）が保持される項目である。広告行数は広告の行数が保持される項目である。リンク先アドレスは、広告の対象とされた情報にアクセスさせるためのリンク情報として情報メールに掲載されるＵＲＬ（Uniform  Resource  Locator）が保持される項目である。リンク先アドレスとしては、情報メール配信サーバ１０に対するＵＲＬが登録される。遷移先アドレスは、リンク先アドレスにアクセスされた際の遷移先のＵＲＬが保持される項目である。すなわち、遷移先アドレスは、広告の対象とされた情報に対する真のＵＲＬである。リンク先アドレスと遷移先アドレスの用い方については後述される。
【００３４】
なお、本実施の形態において一通の情報メールに複数の広告が含まれ得るのは、原稿の場合と同様である。
【００３５】
ユーザ管理部１１（図１）は、購読者の登録や解約等、ユーザ管理に関する処理を実行する。例えば登録の際、ユーザ登録部１１は、購読者端末２０より購読者情報を受信し、受信された購読者情報を購読者情報管理テーブル５１に登録する。
【００３６】
図４は、購読者情報管理テーブルの構成例を示す図である。図４において、購読者情報管理テーブル５１は、一つのレコードで一つの購読者情報を管理するテーブルであり、各レコードは、購読者ＩＤ、購読者名、自宅アドレス、携帯アドレス、職場アドレス、性別、年齢層、職業区分、ポイント数、及びタイムテーブル等の項目より構成される。
【００３７】
購読者ＩＤは、各購読者を識別するためのＩＤが保持される項目である。購読者名は、購読者のニックネームが保持される項目である。自宅アドレスは、購読者の自宅における購読者端末２０のメールアドレス（以下「自宅アドレス」という。）が保持される項目である。携帯アドレスは、購読者端末２０としての購読者の携帯電話のメールアドレス（以下「携帯アドレス」という。）が保持される項目である。職場アドレスは、購読者の職場における購読者端末２０のメールアドレス（以下「職場アドレス」という。）が保持される項目である。
【００３８】
性別は、購読者の性別が保持される項目である。年齢層は、購読者の年齢層が保持される項目である。職業区分は、購読者の職業区分が保持される項目である。ポイント数は、購読者に付与された現在のポイント数が保持される項目である。タイムテーブルは、タイムテーブルのバイナリデータが保持される項目である。タイムテーブルについては後述する。
【００３９】
履歴情報取得部１２（図１）は、購読者端末２０のメーラー２２とのやりとりにより、購読者による情報メールの閲読状況を取得し、取得された閲読状況を開封履歴管理テーブル５２やクリック履歴管理テーブル５３に記録する。
【００４０】
図５は、開封履歴管理テーブルの構成例を示す図である。図５において開封履歴管理テーブル５２は、一つのレコードで情報メールの一回の開封に関する情報（以下「開封情報」という。）を管理するテーブルであり、各レコードは、情報メールＩＤ、購読者ＩＤ、開封日時、及び開封日種別等の項目より構成される。
【００４１】
情報メールＩＤは、開封された情報メールの情報メールＩＤが記録される項目である。なお、情報メールＩＤは、各情報メールを識別するために、後述する配信情報テーブル５７において情報メールごとに付される。購読者ＩＤは、情報メールを開封した購読者の購読者ＩＤが記録される項目である。開封日時は情報メールが開封された日時が記録される項目である。開封日種別は、開封日の「日種別」が記録される項目である。ここで、「日種別」とは、曜日又は祝祭日等の別をいう。
【００４２】
また、図６は、クリック履歴管理テーブルの構成例を示す図である。図６においてクリック履歴管理テーブル５３は、一つのレコードで情報メールに記載されている広告のリンク先アドレスに対する一回のクリックに関する情報（以下「クリック情報」という。）を管理するテーブルであり、各レコードは、情報メールＩＤ、購読者ＩＤ、広告ＩＤ、クリック日時、クリック日種別、及びクリック行番号等の項目より構成される。
【００４３】
情報メールＩＤは、広告のリンク先アドレスがクリックされた情報メールの情報メールＩＤが記録される項目である。購読者ＩＤは、広告のリンク先アドレスをクリックした購読者の購読者ＩＤが記録される項目である。広告ＩＤは、リンク先アドレスがクリックされた広告の広告ＩＤが記録される項目である。クリック日時は、リンク先アドレスがクリックされた日時が記録される項目である。クリック日種別は、リンク先アドレスがクリックされた日の日種別が記録される項目である。クリック行番号は、リンク先アドレスがクリックされた広告が記載されていた記述位置を示す位置情報としての行番号（何行目に記載されていたか）が記録される項目である。なお、記述位置を示す位置情報は、かならずしも行番号である必要はなく、例えば、先頭からのバイト数等によって表現してもよい。
【００４４】
タイムテーブル作成部１５（図１）は、開封履歴管理テーブル５２又はクリック履歴管理テーブル５３に登録されている開封情報の履歴やクリック情報の履歴等に基づいて、購読者ごとに適した配信時期、配信量、配信頻度、及び配信先等を判定し、その判定結果に基づいてタイムテーブルを作成する。本実施の形態においてタイムテーブルとは、購読者ごとの情報メールの閲読スケジュールを示す情報をいう。より詳しくは、タイムテーブルは、購読者が「いつ」、「どれくらいの量」、「どれくらいの頻度で」、「どのメールアドレス（端末）で」、「どのような内容の情報」を情報メールによって閲読しているかを示す情報をいう。なお、タイムテーブルは各購読者について日種別ごと、メールアドレス（自宅アドレス、携帯アドレス又は職場アドレスの別）ごとに作成される。作成されたタイムテーブルは、購読者情報管理テーブル５１に登録される。
【００４５】
図７は、購読者ＡさんのＸ曜日のタイムテーブルの概念図である。図７のタイムテーブル１５０には、Ｘ曜日の購読者Ａさんについて、自宅アドレス、携帯アドレス、職場アドレスごとに閲読パターンが示されている。なお、タイムテーブル１５０において、塗りつぶされている矢印は、情報メールが閲読されている（すなわち、メーラーが起動されている）ものと推測される時間帯を示す。一方、白抜きの矢印は、メーラーは起動されていないものと推測される時間帯を示す。
【００４６】
タイムテーブル１５０によれば、Ｘ曜日のＡさんは、朝８時過ぎより携帯アドレスでニュースや天気予報を高い頻度で少しだけ閲読する。９時過ぎより職場アドレスでニュースを低い頻度で少しだけ閲読する。正午過ぎになると携帯アドレスで経済情報やＩＴ情報を低い頻度で少しだけ閲読し、１３時過ぎより経済情報やＩＴ情報を中程度の頻度で中程度の分量だけ閲読するといったようなことが判別され得る。したがって、タイムテーブル１５０に基づいて情報メールを配信すれば、Ａさんに対して効果的に情報配信を行うことができる。例えば、塗りつぶされている矢印の時間帯に情報メールを配信すれば、Ａさんがまさにメーラーを起動している最中に情報メールが受信されるので、閲読される確率が高まることが期待される。
【００４７】
配信情報登録部１６（図１）は、原稿情報管理テーブル５４、広告情報管理テーブル５５に保存されている原稿情報及び広告情報に基づいて各購読者に対する情報メールを生成し、生成された情報メール及び情報メールの配信に関する情報を（以下「配信情報」という。）配信情報管理テーブル５７に登録する。配信情報登録部１６は、情報メールの生成に際し、タイムテーブル基づいて、配信日時、配信量、配信頻度、配信先等が各購読者にとって適切になるように情報メール及びその配信情報を生成する。
【００４８】
図８は、配信情報管理テーブルの構成例を示す図である。図８において、配信情報管理テーブル５７は、一つのレコードで一通の情報メールに関する配信情報を管理するテーブルであり、各レコードは、情報メールＩＤ，購読者ＩＤ，情報メール種別、付与ポイント、情報メール内容、配信先アドレス種別、配信予定日時、配信日時、配信日種別、原稿ＩＤ、及び広告ＩＤ等より構成される。
【００４９】
情報メールＩＤは、各情報メールを識別するためのＩＤが保持される項目である。購読者ＩＤは、配信先の購読者の購読者ＩＤが保持される項目である。情報メール種別は、情報メールの内容のジャンルの種別が保持される項目である。付与ポイントは、情報メールが開封されたときに購読者に対して付与されるポイントが保持される項目である。情報メール内容は、情報メールの内容（本文）が保持される項目である。本文には、原稿情報の原稿内容と広告情報の広告内容とが交互に組み合わされて含まれる。
【００５０】
配信先アドレス種別は、情報メールが配信されるアドレスの種別（自宅アドレス、携帯アドレス、又は職場アドレスの別）が保持される項目である。配信予定日時は、情報メールの配信予定の日時が保持される項目である。配信日時は、情報メールが実際に配信されたときにその日時が記録される項目である。配信日種別は、実際に配信された日の日種別が保持される項目である。原稿ＩＤは、情報メールに掲載される原稿の原稿ＩＤが保持される項目である。広告ＩＤは、情報メールに掲載される広告の広告ＩＤが保持される項目である。一通の情報メールは、複数の原稿及び複数の広告を含み得るため、複数の原稿ＩＤ及び広告ＩＤが保持され得る。
【００５１】
情報メール配信部１７（図１）は、配信情報管理テーブル５７の配信情報に基づいて情報メールを配信する。
【００５２】
なお、タイムテーブル作成部１５、配信情報登録部１６及び情報メール配信部１７による処理は、例えばバッチ処理によって定期的に（例えば、一日に一回）実行される。
【００５３】
図９は、本発明の実施の形態における情報メール配信サーバのハードウェア構成例を示す図である。図９の情報メール配信サーバ１０は、それぞれバスＢで相互に接続されているドライブ装置１００と、補助記憶装置１０２と、メモリ装置１０３と、演算処理装置１０４と、インタフェース装置１０５とを有するように構成される。
【００５４】
情報メール配信サーバ１０での処理を実現するプログラムは、ＣＤ−ＲＯＭ等の記録媒体１０１によって提供される。プログラムを記録した記録媒体１０１がドライブ装置１００にセットされると、プログラムが記録媒体１０１からドライブ装置１００を介して補助記憶装置１０２にインストールされる。
【００５５】
補助記憶装置１０２は、インストールされたプログラムを格納すると共に、必要なファイルやデータ等を格納する。メモリ装置１０３は、プログラムの起動指示があった場合に、補助記憶装置１０２からプログラムを読み出して格納する。演算処理装置１０４は、メモリ装置１０３に格納されたプログラムに従って図１において説明した情報メール配信サーバ１０に係る各機能を実現する。インタフェース装置１０５はネットワークに接続するためのインタフェースとして用いられる。
【００５６】
以下、図１の情報メール配信サーバ１０の処理手順について説明する。まず、購読者の登録処理について説明する。情報メールの配信を受けるためには、ユーザは購読者として登録される必要がある。
【００５７】
図１０は、ユーザ管理部による購読者登録処理を説明するためのフローチャートである。
【００５８】
例えば、情報メール配信サーバ１０のホームページ（非図示）が購読者端末２０のＷｅｂブラウザ２１に表示されている場合を想定する。ユーザが、情報メールを購読してみよとホームページ上のユーザ登録ボタンをクリックすると（Ｓ１１）、ユーザ管理部１１は、購読者登録用のＷｅｂページ（以下「購読者登録ページ」という。）をＷｅｂブラウザ２１に表示させる（Ｓ１２）。
【００５９】
図１１は、購読者登録ページの表示例を示す図である。図１１において購読者登録ページ１１１は、名前入力領域１１１１、自宅アドレス入力領域１１１２、携帯アドレス入力領域１１１３、職場アドレス入力領域１１１４、性別選択ボタン１１１５、年齢層選択ボックス１１１６、職業選択ボックス１１１７、及び登録ボタン１１１８等より構成されている。
【００６０】
ユーザが、購読者登録ページ１１１において、ニックネーム（１１１１）、自宅アドレス（１１１２）、携帯アドレス（１１１３）、職場アドレス（１１１４）、性別（１１１５）、年齢層（１１１６）、及び職業（１１１７）等の購読者情報を入力し（Ｓ１３）、登録ボタン１１１８をクリックすると（Ｓ１４）、ユーザ管理部１１は、Ｗｅｂブラウザ２１より購読者情報を受信し、受信された購読者情報を購読者情報管理テーブル５１（図４）に登録する（Ｓ１５）。
【００６１】
続いて、ユーザ管理部１１は、デフォルトタイムテーブル管理テーブル５６より、カレントユーザに適したデフォルトタイムテーブルを取得し、取得されたデフォルトタイムテーブルを購読者情報管理テーブル５１のカレントユーザのレコードに登録する（Ｓ１６）。
【００６２】
ここで、デフォルトタイムテーブルとは、購読者の属性に応じて予め作成された（デフォルトの）タイムテーブルをいい、開封情報及びクリック情報の履歴が蓄積されていない購読者（すなわち、少なくとも登録後に最初に情報メールを配信する購読者）のニーズの判断基準として用いられる。
【００６３】
図１２は、デフォルトタイムテーブル管理テーブルの構成例を示す図である。図１２において、デフォルトタイムテーブル５６は、一つのレコードで一つのデフォルトタイムテーブルに関する情報（以下「デフォルトタイムテーブル情報」という。）を管理するテーブルであり、各レコードは性別、年齢層、職業区分、日種別、配信先アドレス種別、及びタイムテーブル等の項目より構成される。
【００６４】
性別は、当該デフォルトタイムテーブル情報のタイムテーブルが適用される性別が保持される項目である。年齢層は、当該デフォルトタイムテーブル情報のタイムテーブルが適用される年齢層が保持される項目である。職業区分は、当該デフォルトタイムテーブル情報のタイムテーブルが適用される職業区分が保持される項目である。日種別は、当該デフォルトタイムテーブル情報のタイムテーブルが適用される日種別が保持される項目である。配信先アドレス種別は、当該デフォルトタイムテーブル情報のタイムテーブル適用される配信先アドレス種別が保持される項目である。タイムテーブルは、当該デフォルトタイム情報のタイムテーブルのバイナリデータが保持される項目である。
【００６５】
すなわち、上述したように、タイムテーブルは、開封情報の履歴やクリック情報の履歴に基づいて作成されるものである。しかし、購読者登録されて間もない購読者に関してはこれらの履歴が蓄積されていない。そこで、予め、性別、年齢層、及び職業区分等ごとに、そのカテゴリに属する購読者の平均的なタイムテーブル（デフォルトタイムテーブル）を作成しておき、新規に登録された購読者に対しては、その購読者のカテゴリに対するデフォルトタイムテーブルを判断基準として用いることにより、当初より、購読者のニーズにより近い形態で情報メールの配信を行おうというわけである。
【００６６】
次に、履歴情報取得部１２による開封情報の取得処理、及びクリック情報の取得処理について説明する。
【００６７】
図１３は、開封情報の取得処理を説明するためのフローチャートである。ここでは、情報メールが購読者に既に配信されている状況を想定する。
【００６８】
購読者が、メーラー２２において情報メールを開封すると（Ｓ２１）、メーラー２２は、情報メールに基づいて情報メール配信サーバ１０に保存されている画像データへのアクセス要求を情報メール配信サーバ１０に送信する（Ｓ２２）。すなわち、情報メールには画像データへアクセスさせるためのコマンドが埋め込まれており、メーラー２２は、そのコマンドを解釈して画像データへのアクセス要求を送信するというわけである。なお、画像データへアクセスするためのコマンドには、パラメータとして開封された情報メールの情報メールＩＤと、配信先の購読者の購読者ＩＤが設定されている。したがって、メーラー２２は、情報メールＩＤと購読者ＩＤとを含めてアクセス要求を送信する。
【００６９】
履歴情報取得部１２は、メーラー２２からの画像データへのアクセス要求に基づいてその購読者ＩＤに係る購読者によって情報メールＩＤに係る情報メールが開封された旨を検知する（Ｓ２３）。続いて、履歴情報取得部１２は、アクセス要求が受信された日時を開封日時としてその開封情報を開封履歴管理テーブル５２に登録する（Ｓ２４）。更に、履歴情報取得部１２は、開封された情報メールが初回開封であるかどうかを開封履歴管理テーブル５２を参照することにより判断し、今回の開封が初回であれば開封された情報メールの付与ポイントを配信情報管理テーブル５７（図８）より取得し、取得された付与ポイントを開封した購読者のポイント数に加算する（図４）（Ｓ２５）。
【００７０】
次に、クリック情報の取得処理について説明する。図１４は、クリック情報の取得処理を説明するためのフローチャートである。
【００７１】
メール２２によって情報メールを閲読している購読者が、情報メールに記載されている広告のリンク先アドレスへのＵＲＬをクリックすると、購読者端末２０においてＷｅｂブラウザ２１が起動される（Ｓ３１）。Ｗｅｂブラウザ２１は、リンク先アドレスへのアクセス要求（ＨＴＴＰリクエスト）を情報メール配信サーバ１０に送信する。
【００７２】
履歴情報取得部１２は、リンク先アドレスへのアクセス要求から、情報メールＩＤ、購読者ＩＤ、広告ＩＤ及びクリックされた行番号（クリック行番号）を取得する（Ｓ３２）。
【００７３】
図１５は、情報メールの本文の例を示す図である。図１５において情報メール５００は、原稿５１０と広告５１１とを含んでいる。広告５１１には、リンク先アドレスへのＵＲＬ５１１ｌが記載されている。ＵＲＬ５１１ｌには、引数５１１ｌ−１、５１１ｌ−２、５１１ｌ−３、及び５１１ｌ−４が含まれている。
【００７４】
引数５１１ｌ−１には、「ｍａｉｌｉｄ＝＜情報メールＩＤ＞」の形式で、情報メール５００の情報メールＩＤが含まれている。引数５１１ｌ−２には、「ｕｓｅｒｉｄ＝＜購読者ＩＤ＞」の形式で、情報メール５００の購読者の購読者ＩＤが含まれている。引数５１１ｌ−３には、「ｌｉｎｋｉｄ＝＜広告ＩＤ＞」の形式で広告５１１の広告ＩＤが含まれている。引数５１１ｌ−４には、「ｌｉｎｅ＝＜行番号＞」の形式で、情報メール５００において広告５１１が記載されている行番号が含まれている。そして、ＵＲＬ５１１ｌにおけるドメイン５１１−５は、情報メール配信サーバ１０に対するものとされている。
【００７５】
したがって、ＵＲＬ５１１ｌがクリックされることにより、リンク先アドレスへのアクセス要求が引数と共に情報メール配信サーバ１０に送信され、履歴情報取得部１２は、そのアクセス要求より、情報メールＩＤ、購読者ＩＤ、広告ＩＤ及びクリック行番号（広告の行番号）等のクリック情報を取得することができる。なお、各引数情報はセキュリティ上の観点等より暗号化されていることが望ましい。
【００７６】
続いて、履歴情報取得部１２は、取得された情報に現在の日時及び日種別を加えた情報をクリック情報としてクリック履歴管理テーブル５３（図６）に登録する（Ｓ３３）。
【００７７】
続いて、履歴情報取得部１２は、クリックされた広告が初回のクリックであるかどうかをクリック履歴管理テーブル５３を参照することにより判断し、今回のクリックが初回のクリックであればクリックされた広告の付与ポイントを広告情報管理テーブル５５（図３）より取得し、取得された付与ポイントをクリックした購読者のポイント数に加算する（図４）（Ｓ３４）。
【００７８】
続いて、履歴情報取得部１２は、クリックされた広告の遷移先アドレスを広告情報管理テーブル５５（図３）より取得し、取得された遷移先アドレスをロードするためのスクリプトが記載されたＷｅｂページをＷｅｂブラウザ２２に送信する（Ｓ３５）。Ｗｅｂブラウザ２２は、受信したＷｅｂページに基づいて広告の対象とされた情報が掲載されたＷｅｂページを表示させることになる。
【００７９】
情報メールが開封されるたびに図１３の処理が実行され、広告がクリックされるたびに図１４の処理が実行される。したがって、開封履歴管理テーブル５２（図５）及びクリック履歴管理テーブル５３（図６）には開封情報又はクリック情報の履歴が蓄積される。
【００８０】
次に、タイムテーブル作成部１５によるタイムテーブル作成処理について説明する。図７においてその概念図を示したタイムテーブルは、本実施の形態においては、開封率・クリック率タイムテーブル１５１、配信量タイムテーブル１５２、及び配信間隔タイムテーブル１５３の三つのテーブルによって実装される。
【００８１】
図１６は、開封率・クリック率タイムテーブルの構成例を示す図である。図１６において、開封率・クリック率タイムテーブル１５１は、時間帯ごとに情報メールの各ジャンル（ニュース、芸能情報等）についての総開封ポイント、総開封可能ポイント、開封率、総クリックポイント、総クリック可能ポイント、及びクリック率等を管理するテーブルである。開封率は、その時間帯に開封される確率の高さ（メーラー２２が起動されている確率の高さ）を推測するための指標であり、総開封ポイントを総開封可能ポイントで除すことによりその値が得られる。また、クリック率は、情報メールが開封されたときに広告がクリックされる確率の高さを推測するための指標であり、総クリックポイントを総クリック可能ポイントによってその値が得られる。例えば、図１６においては、ニュースに関する情報メールについて、８：３０〜９：００の時間帯に開封される確率が最も高く、また、８：３０〜９：００及び１０：００〜１０：３０に広告がクリックされる確率は同じであることが推測される。開封率・クリック率タイムテーブル１５１に関するその他の詳細については後述する。
【００８２】
図１７は、配信量タイムテーブルの構成例を示す図である。図１７において配信量タイムテーブル１５２は、時間帯ごとに情報メールの各ジャンルについての総クリック行数、総クリック回数、及び平均行数等を管理するテーブルである。ここでは、平均行数に注目する。平均行数は、一通の情報メールあたりに購読者が閲読したと推測される行数を示す指標であり、総クリック行数を総クリック回数で除すことによりその値が得られる。図１７においては、ニュースに関する情報メールについて、８：３０〜９：００の時間帯は５２行、１０：００〜１０：３０の時間帯は、７０行程度閲読されていると推測されていることが示されている。配信量タイムテーブル１５２に関するその他の詳細については後述する。
【００８３】
図１８は、配信間隔タイムテーブルの構成例を示す図である。図１８において配信間隔タイムテーブル１５３は、情報メールが配信される間隔ごとに情報メールの各ジャンルについての総開封数、総配信数、及び開封率等を管理するテーブルである。ここでは、開封率に注目する。開封率は、その間隔に配信された情報メールが開封される確率を示す指標であり、総開封数を総配信数で除すことによりその値が得られる。図１８においては、ニュースに関する情報メールについて１日おきに配信される場合に最も開封される確率が高いことが示されている。配信間隔タイムテーブル１５３に関するその他の詳細については後述する。
【００８４】
なお、以下において「タイムテーブル」というときは、以上三つのテーブルによって構成される情報を意味する。
【００８５】
図１９は、タイムテーブル作成処理を説明するためのフローチャートである。
【００８６】
まず、タイムテーブル作成部１５は、購読者情報管理テーブル５１（図４）より、全購読者の購読者情報のリストを取得する（Ｓ４１）。続いて、タイムテーブル作成部１５は、購読者情報のリストの中から一人分の購読者情報を取得する（Ｓ４２）。ここで取得された購読者情報を、以下「カレント購読者情報」といい、カレント購読者情報に係る購読者を「カレント購読者」という。
【００８７】
続いて、タイムテーブル作成部１５は、カレント購読者のタイムテーブルを初期化する（Ｓ４３）。続いて、タイムテーブル作成部１５は、開封履歴管理テーブル５２（図５）、クリック履歴管理テーブル５３（図６）、及び配信情報管理テーブル５７（図８）等に基づいて開封率・クリック率タイムテーブル１５１を作成する（Ｓ４４）。
【００８８】
続いて、タイムテーブル作成部１５は、開封履歴管理テーブル５２（図５）及びクリック履歴管理テーブル５３（図６）等に基づいて配信量タイムテーブル１５２を作成する（Ｓ４５）。続いて、タイムテーブル作成部１５は、開封履歴管理テーブル５２（図５）及び配信情報管理テーブル５７（図８）に基づいて配信間隔タイムテーブル１５３を作成する。
【００８９】
続いて、タイムテーブル作成部１５は、作成された開封率・クリック率タイムテーブル１５１、配信量タイムテーブル１５２、及び配信間隔タイムテーブル１５３のバイナリデータをカレント購読者情報のタイムテーブルとして購読者情報管理テーブル５１（図４）に登録する（Ｓ４７）。
【００９０】
続いて、タイムテーブル作成部１５は、購読者情報のリストにおける全ての購読者について処理を行ったか否かを判定し（Ｓ４８）、まだ処理されていない購読者が存在する場合は、それらの購読者についてステップＳ４２からＳ４７までの処理を繰り返す。
【００９１】
全ての購読者についてのタイムテーブルが作成されると（Ｓ４８でＹＥＳ）、タイムテーブル作成部１５は、作成されたタイムテーブルに基づいて購読者の属性ごとに集計処理を実行し（Ｓ４９）、その結果をデフォルトタイムテーブルとしてデフォルトタイムテーブル管理テーブル５８（図１２）に登録する（Ｓ５０）。すなわち、デフォルトタイムテーブルについても日々更新される。
【００９２】
続いて、ステップＳ４４における開封率・クリック率タイムテーブル１５１（図１６）の作成処理について説明する。
【００９３】
図２０は、開封率・クリック率タイムテーブルの作成処理を説明するためのフローチャートである。なお、図２０の処理は、日種別ごと、かつ、配信先アドレス種別ごとに実行される。
【００９４】
まず、タイムテーブル作成部１５は、配信情報管理テーブル５７（図８）より、カレント購読者に係る最近（例えば、過去１ヶ月等、現在から所定の期間内）の配信情報を所定数取得する（Ｓ４４ａ）。なお、ここでは、処理の対象とされている日種別及び配信先アドレスに係る配信情報が取得される。続いて、タイムテーブル作成部１５は、取得された配信情報の中から一つの配信情報を処理対象として取り出す（Ｓ４４ｂ）。ここで取り出された配信情報を、以下「カレント配信情報」という。
【００９５】
続いて、タイムテーブル作成部１５は、カレント配信情報に係る情報メール（以下「カレントメール」という。）の開封情報とクリック情報とを開封履歴管理テーブル５２（図５）又はクリック履歴管理テーブル５３（図６）より取得する（Ｓ４４ｃ）。
【００９６】
続いて、タイムテーブル作成部１５は、配信情報、開封情報及びクリック情報に基づいてカレントメールの配信日時、開封日時、クリック日時を特定し、それらの日時に基づいてカレントメールの開封可能期間を判定する（Ｓ４４ｄ）。ここで、開封可能期間とは、カレントメールの開封が可能な状態、又はメーラー２２が起動されていた状態であったと推測される期間をいう。
【００９７】
図２１は、開封可能期間の算出方法を説明するための図である。タイムテーブル作成部１５は、以下の３つのルールに基づいてカレントメールの開封可能期間を判定する。
【００９８】
ルール１として、カレントメールの配信日時が含まれる時間帯（ここでは３０分単位）から初回の開封日時が含まれる時間帯の一つ前の時間帯を開封可能期間とする。情報メールが配信された後は開封が可能であると推測できるからである。但し、両時間帯が同一の場合は、後述するルール３が適用される。
【００９９】
ルール２として、配信されてから開封されるまでの期間が一定期間Ａを超える場合、又は配信されたメールが開封されなかった場合、ルール１は適用せず、配信日時が含まれる時間帯から配信日時に一定時間Ａを加えた時刻が含まれる時間帯までを開封可能期間とする。ここで、一定期間Ａは、メールが開封されなかった場合等において、開封率の計算に影響させる最大の期間を意味し、例えば、管理者によって予め設定される。なお、ルール２は、数日たってから開封された場合や全く開封されなかった場合に、開封可能期間が不当に大きく算出されることにより、開封率の妥当性が低下するのを回避するためのルールである。
【０１００】
ルール３として、開封又はクリックが一定期間Ｂを置かずに繰り返し行われている場合はそれらを一連の期間とし、その一連の期間の開始時刻が属する時間帯から最終時刻に一定期間Ｃを加えた時刻が属する時間帯までの期間を開封可能期間とする。なお、開封又はクリックが一定期間Ｂ内に一度しか行われなかった場合は、その一度の開封又はクリックの時刻の属する時間帯からその時刻に一定期間Ｃを加えた時刻が属する時間帯までの期間を開封可能期間とする。ここで、一定期間Ｂは、開封及びクリックが連続して行われた場合、どれだけの時間間隔以内であれば一度の閲読操作によるものであるとみなせるかを決める期間を意味し、例えば、管理者によって予め設定される。また、一定期間Ｃは、最後のクリックや開封が行われた後に、メーラー２２を起動していることが推測される期間を意味し、例えば、管理者によって予め設定される。すなわち、一定期間Ｃは、開封や広告のクリックが行われた後もしばらくの間はメーラー２２は起動されているだろうという推測に基づくパラメータである。
【０１０１】
上記を踏まえて図２１を参照する。図中（Ａ）には、カレントメールついて、９時過ぎに配信され（ｄ１）、１０時〜１０時半の間に開封され（ｏ１１）、１０時半から１１時の間に広告のクリックが２度行われ（ｃ１１、ｃ１２）、更に１３時から１３時半の間に再び開封され（ｏ１２）、１４時前に広告のクリックが行われた（ｃ１３）例が示されている。この場合、９時から１０時まで（Ｐ１）はルール１により、１０時から１２時半まで（Ｐ２）はルール３により、１３時から１４時半まで（Ｐ３）はルール３により開封可能時間であったと判定される。
【０１０２】
別の例として、図中（Ｂ）には、カレントメールについて、９時過ぎに配信され（ｄ２）、一定期間Ａ（ここでは２時間とされている）以上たった後の１４時前に開封された（ｏ２１）例が示されている。この場合、９時から１１時半まで（Ｐ４）はルール２により、１３時半から１４時半まで（Ｐ５）はルール３のなお書きより開封可能時間であったと判定される。
【０１０３】
続いて（図２０）、タイムテーブル作成部１５は、開封日時及びクリック日時に基づいて、カレントメールの開封期間及び開封後期間を判定する（Ｓ４４ｅ）。ここで、開封期間とは、メーラー２２が起動されていた状態であったと推測される期間をいう。また、開封後期間とは、カレントメールの開封後にメーラー２２が起動されていたと推測される期間をいう。
【０１０４】
図２２は、開封期間及び開封後期間の判定方法を説明するための図である。図２２中、図２１（Ａ）と同一部分には同一符号を付し、その説明は省略する。図２２の例では、１４時過ぎに更にカレントメールが開封されている（ｏ１３）点が図２１（Ａ）と異なる。
【０１０５】
タイムテーブル作成部１５は、以下の３つのルールに基づいてカレントメールの開封期間及び開封後期間を判定する。
【０１０６】
ルール１として、開封又はクリックが一定期間Ｂを置かずに繰り返し行われている場合はそれらを一連の期間とし、その一連の期間の開始時刻が属する時間帯から最終時刻が属する時間帯までの期間を開封期間とする。なお、開封又はクリックが一定期間Ｂ内に一度しか行われなかった場合は、その一度の開封又はクリックの時刻の属する時間帯を開封期間とする。
【０１０７】
ルール２として、上記一連の期間の最終時刻又は一度の開封又はクリックの時刻が属す時間帯から、上記一連の期間の最終時刻又は一度の開封又はクリックの時刻に一定期間Ｃを加えた時刻が属する時間帯までの期間を開封後期間とする。但し、開封後期間と開封期間が重複している場合は、当該期間は開封後期間とはしない。
【０１０８】
上記を踏まえて図２２を参照する。この場合、１０時から１１時まで（Ｏ１）と１３時から１４時半まで（Ｏ２）はルール１により開封期間と判定される。また、１１時から１１時半まで（Ａ１）は開封後期間と判定される。なお、１０時半から１１時まで（Ａ２）と１４時から１４時半まで（Ａ３）は開封後期間となり得るが、開封期間と重複しているため、開封後期間とはされない。
【０１０９】
続いて（図２０）、タイムテーブル作成部１５は、各時間帯についてカレントメールの開封ポイントと開封可能ポイントとを算出し、それぞれの値を開封率・クリック率タイムテーブル１５１の総開封ポイントと総開封可能ポイントに加算する（Ｓ４４ｆ）。
【０１１０】
ここで、開封ポイントとは、開封期間又は開封後期間に属する時間帯に対して与えられるポイントをいい、開封期間に属する場合は「１」が、開封後期間に属する場合は「０．５」が与えられる。また、開封可能ポイントとは、開封可能期間に属する時間帯に対して与えられるポイントをいい、開封可能期間に属する場合「１」が与えられる。なお、開封期間と開封後期間とのポイントの差は、メーラー２２が起動している可能性の高さに応じている。すなわち、開封後期間は、メーラー２２が起動している可能性は推測されるが、開封期間に比べるとその可能性は低いと考えられるからである。
【０１１１】
図２３は、開封ポイント及び開封可能ポイント並びに総開封ポイント及び総開封可能ポイントの算出例を示す図である。
【０１１２】
図２３（Ａ）には、カレントメールについて、９時過ぎに配信され（ｄ３）、１０時過ぎに開封され（ｏ３１）、１０時半前に広告がクリックされた例が示されている。この場合、９時から１１時まで（Ｐ４）は開封可能期間と判定される。また、１０時から１０時半まで（Ｏ３）は開封期間と判定される。また、１０時半から１１時まで（Ａ４）は開封後期間と判定される。
【０１１３】
したがって、各時間帯に付与される開封ポイント及び開封可能ポイントは図中（Ｂ）のようになる。すなわち、１０時から１０時半までには開封ポイントとして「１」が付与される。また、１０時半から１１時までには開封ポイントとして「０．５」が付与される。また、９時から１１時までの各時間帯には開封可能ポイント「１」が与えられる。その他については、いずれのポイントについても「０」とされる。
【０１１４】
ここで、カレントメールの情報メール種別は「ニュース」であったとすると、算出された開封ポイント及び開封可能ポイントは、図中（Ｃ）における開封率・クリック率タイムテーブル１５１のニュースにおける総開封ポイント及び総開封可能ポイントのそれぞれに加算される。なお、図中（Ｃ）における開封率・クリック率タイムテーブル１５１は、便宜上、開封率の列が省略されている。
【０１１５】
続いて（図２０）、タイムテーブル作成部１５は、開封率・クリック率タイムテーブル１５１（図２３（Ｃ）又は図１６）のカレントメールの情報メール種別に関する各時間帯について総開封ポイントを総開封可能ポイントで除すことにより、各時間帯の開封率を算出し、算出された開封率を開封率・クリック率タイムテーブル１５１に書き込む（Ｓ４４ｇ）。
【０１１６】
続いて、クリック率の算出処理が行われる。まず、タイムテーブル作成部１５は、カレントメールの配信日時、開封日時及びクリック日時等に基づいて、カレントメールのクリック期間及び非クリック期間を判定する（Ｓ４４ｈ）。
【０１１７】
図２４は、クリック期間及び非クリック期間の判定方法を説明するための図である。タイムテーブル作成部１５は、カレントメールに掲載されている広告のうち、クリックされた広告については、そのクリック日時が属する時間帯をクリック期間と判定する。
【０１１８】
一方、カレントメールが開封されたにもかかわらず、クリックされなかった広告については、カレントメールの開封日時が属する時間帯を非クリック期間と判定する。但し、非クリック期間の判定は、初回の開封時に対してのみ行われ、同一メールについて２回目以降の開封に対してはその開封日時の属する時間帯は非クリック期間とは判定されない。
【０１１９】
図２４には、広告種別がそれぞれ「ニュース」、「芸能」、「スポーツ」の三つの広告が掲載された情報メールＡについて、９時過ぎに配信され（ｄ４）、１０時過ぎに開封され（ｏ４１）、１０時半前にニュースの広告がクリックされ（ｃ４１）、１０時半過ぎに芸能の広告がクリックされた（ｃ４２）例が示されている。
【０１２０】
また、広告種別がそれぞれ「ニュース」、「芸能」の二つの広告が掲載された情報メールＢについて、１２時半過ぎに配信され（ｄ５）、１３時過ぎに開封された（ｏ５１）例が示されている。なお、情報メールＢの広告についてはいずれもクリックされていない。
【０１２１】
図２４の例において、カレントメールが情報メールＡに該当する場合、ニュースの広告については１０時から１０時半まで（Ｃ１）がクリック期間と判定される。また、芸能の広告については１０時半から１１時まで（Ｃ２）がクリック期間と判定される。また、スポーツの広告についてはクリックされていないため、１０時から１０時半まで（Ｃ３）が非クリック期間と判定される。
【０１２２】
一方、カレントメールが情報メールＢに該当する場合、ニュース及び芸能の広告のいずれについても１３時から１３時半まで（Ｃ４、Ｃ５）が非クリック期間と判定される。
【０１２３】
続いて（図２０）、タイムテーブル作成部１５は、各時間帯についてカレントメールのクリックポイントとクリック可能ポイントとを算出し、それぞれの値をクリック率・クリック率タイムテーブル１５１の総クリックポイントと総クリック可能ポイントに加算する（Ｓ４４ｉ）。
【０１２４】
ここで、クリックポイントとは、クリック期間に属する時間帯に対して与えられるポイントをいい、クリック期間に属する場合は「１」が与えられる。また、クリック可能ポイントとは、クリック期間又はクリック可能期間のいずれかに属する時間帯に対して与えられるポイントをいい、当該期間に属する場合「１」が与えられる。
【０１２５】
図２５は、クリックポイント及びクリック可能ポイント並びに総クリックポイント及び総クリック可能ポイントの算出例を示す図である。
【０１２６】
図２５（Ａ）には、広告種別がそれぞれ「ニュース」、「芸能」の二つの広告が掲載されたカレントメールについて、９時過ぎに配信され（ｄ６）、９時半過ぎに開封され（ｏ６１）、１０時過ぎに芸能の広告がクリックされ（ｃ６１）、１０時半過ぎに再び開封され（ｏ６２）、１１時前に芸能の広告がクリックされた（ｃ６２）例が示されている。
【０１２７】
この場合、９時半から１０時まで（Ｃ６）はニュースの広告について非クリック期間と判定される。また、１０時から１０時半まで（Ｃ７）と１０時半から１１時まで（Ｃ８）とは、芸能の広告についてクリック期間と判定される。
【０１２８】
したがって、各時間帯に付与されるクリックポイント及びクリック可能ポイントは図中（Ｂ）のようになる。すなわち、ニュースの広告については全ての時間帯に対してクリックポイントは「０」となる。また、クリック可能ポイントは９時半から１０時までの時間帯に「１」が与えられる。一方、芸能の広告については、１０時から１０時半までと１０時半から１１時までの時間帯にクリックポイント及びクリック可能ポイントとして「１」が与えられる。
【０１２９】
算出されたクリックポイント及びクリック可能ポイントは、図中（Ｃ）におけるクリック率・クリック率タイムテーブル１５１のニュースにおける広告種別ごとの総クリックポイント及び総クリック可能ポイントのそれぞれに加算される。なお、図中（Ｃ）におけるクリック率・クリック率タイムテーブル１５１は、便宜上、クリック率の列が省略されている。
【０１３０】
続いて（図２０）、タイムテーブル作成部１５は、開封率・クリック率タイムテーブル１５１（図２５（Ｃ）又は図１６）において広告種別ごとに今回更新された総クリックポイントを総クリック可能ポイントで除すことにより、各時間帯のクリック率を算出し、算出されたクリック率を開封率・クリック率タイムテーブル１５１に書き込む（Ｓ４４ｊ）。
【０１３１】
ステップＳ４４ｂからステップＳ４４ｊまでの処理が全ての配信情報について行われると（Ｓ４４ｋでＹＥＳ）、開封率・クリック率タイムテーブル１５１の作成処理が終了する。
【０１３２】
したがって、図２０の処理が日種別ごと及び配信先アドレス種別ごとに実行されることにより、カレント購読者の過去の配信情報に基づいて、自宅アドレス、携帯アドレス及び職場アドレスのそれぞれに対する開封率・クリック率タイムテーブル１５１が日種別ごとに作成されることになる。
【０１３３】
続いて、ステップＳ４５における配信量タイムテーブル１５２（図１７）の作成処理について説明する。
【０１３４】
図２６は、配信量タイムテーブルの作成処理を説明するためのフローチャートである。なお、図２６の処理は、日種別ごと、かつ、配信先アドレス種別ごとに実行される。
【０１３５】
まず、タイムテーブル作成部１５は、クリック履歴管理テーブル５３（図６）より、カレント購読者に係るクリック情報を最近のものから順に所定数取得する（Ｓ４５ａ）。但し、同一の情報メールに属する（すなわち、同一の情報メールＩＤを有する）クリック情報が複数存在する場合は、それらのうち行番号が最も大きいものが取得される。なお、ここでは、処理の対象とされている日種別及び配信先アドレスに係るクリック情報が取得される。
【０１３６】
続いて、タイムテーブル作成部１５は、取得されたクリック情報の中から一つのクリック情報を処理対象として取り出す（Ｓ４５ｂ）。ここで取り出されたクリック情報を、以下「カレントクリック情報」という。
【０１３７】
続いて、タイムテーブル作成部１５は、カレントクリック情報の広告ＩＤに基づいて、カレントクリック情報に対応する広告の広告種別を広告情報管理テーブル５５（図３）より取得する（Ｓ４５ｃ）。ここで取得された広告種別を、以下「カレント広告種別」という。
【０１３８】
続いて、タイムテーブル作成部１５は、カレントクリック情報に基づいて配信量タイムテーブル１５２（図１７）を更新する（Ｓ４５ｄ）。すなわち、配信量タイムテーブル１５２の総クリック行数にカレントクリック情報の行番号を加算し、加算された総クリック行数に対応する総クリック回数の値に１を加える。この際、カレント広告種別が該当する広告種別の欄においてカレントクリック情報のクリック日時が属する時間帯の総クリック行数が加算対象とされる。更に、タイムテーブル作成部１５は、加算対象とされた総クリック行数をその総クリック回数で除すことにより、その平均行数を更新する。
【０１３９】
ステップＳ４５ｂからステップＳ４４ｄまでの処理がステップＳ４５ａで取得された全てのクリック情報について行われると（Ｓ４４ｅでＹＥＳ）、配信量タイムテーブル１５２の作成処理が終了する。
【０１４０】
したがって、図２６の処理が日種別ごと及び配信先アドレス種別ごとに実行されることにより、カレント購読者の過去のクリック情報に基づいて、自宅アドレス、携帯アドレス及び職場アドレスのそれぞれに対する配信量タイムテーブル１５２が日種別ごとに作成されることになる。
【０１４１】
ここで、配信量タイムテーブル１５２の総クリック行数、総クリック回数及び平均行数の意味について説明する。本実施の形態では、広告がクリックされた場合、その広告の行までの情報は閲読されたものと推定する。そうすると、総クリック行数は、過去の一定期間の各時間帯において閲読されたものと推定される総行数を意味する。そして、総クリック回数は、広告がクリックされた情報メールの数に相当する。したがって、平均行数は、情報メール一通当たりについて各時間帯に閲読されたものと推定される行数を意味する。
【０１４２】
続いて、ステップＳ４６における配信間隔タイムテーブル１５３（図１８）の作成処理について説明する。
【０１４３】
図２７は、配信間隔タイムテーブルの作成処理を説明するためのフローチャートである。なお、図２７の処理は、配信先アドレス種別ごとに実行される。
【０１４４】
まず、タイムテーブル作成部１５は、配信情報管理テーブル５７（図８）より、カレント購読者に係る配信情報を最近のものから順に所定数取得する（Ｓ４６ａ）。なお、ここでは、処理の対象とされている配信先アドレスに係る配信情報が取得される。続いて、タイムテーブル作成部１５は、取得された配信情報の中から一つの配信情報を処理対象として取り出す（Ｓ４６ｂ）。ここで取り出された配信情報を、以下「カレント配信情報」という。
【０１４５】
続いて、タイムテーブル作成部１５は、カレント配信情報の配信日時以前を配信日時とする配信情報の中から、カレント配信情報と情報メール種別（ジャンル）及び配信先アドレス種別を同じくする配信情報を取得する（Ｓ４６ｃ）。ここで取得された配信情報を、以下「前回配信情報」という。
【０１４６】
続いて、タイムテーブル作成部１５は、前回配信情報の配信日時とカレント配信情報の配信日時との差を求め、その差をカレント配信間隔とする（Ｓ４６ｄ）。続いて、タイムテーブル作成部１５は、カレント配信情報が開封されたか否かを開封履歴管理テーブル５２（図５）を参照することにより判定する（Ｓ４６ｅ）。
【０１４７】
カレント配信情報が開封されていた場合（Ｓ４６ｆでＹＥＳ）、タイムテーブル作成部１５は、配信間隔タイムテーブル１５３（図１８）におけるカレント配信情報の情報メール種別に対応する欄のカレント配信間隔の総開封数及び総配信数のそれぞれに１を加え、更に、更新された総開封数をその総配信数で除すことによって算出された値によってその開封率を更新する（Ｓ４６ｇ）。
【０１４８】
一方、カレント配信情報が開封されていない場合（Ｓ４６ｆでＮＯ）、タイムテーブル作成部１５は、配信間隔タイムテーブル１５３におけるカレント配信情報の情報メール種別に対応する欄のカレント配信間隔の総配信数のみに１を加え、更新された総配信数に基づいてその開封率を更新する（Ｓ４６ｈ）。
【０１４９】
ステップＳ４６ｂからステップＳ４６ｇ又はＳ４６ｈまでの処理が全ての配信情報について行われると（Ｓ４６ｉでＹＥＳ）、配信間隔タイムテーブル１５３の作成処理が終了する。
【０１５０】
したがって、図２７の処理が配信先アドレス種別ごとに実行されることにより、カレント購読者に対する過去の配信情報に基づいて、自宅アドレス、携帯アドレス及び職場アドレスのそれぞれに対する配信間隔タイムテーブル１５３が作成されることになる。
【０１５１】
次に、配信情報登録部１６による配信情報登録処理について説明する。図２８は、配信情報登録処理を説明するためのフローチャートである。なお、図２８の処理は、購読者情報管理テーブル５１（図４）に登録されている購読者ごと、かつ、各購読者の配信先アドレス種別ごとに実行される。以下、処理対象とさている購読者を「カレント購読者」といい、カレント購読者について処理対象とされている配信先アドレス種別を「カレント配信先アドレス種別」という。
【０１５２】
まず、配信情報登録部１６は、カレント購読者のタイムテーブル（開封率・クリック率タイムテーブル１５１（図１６）、配信量タイムテーブル１５２（図１７）、配信間隔タイムテーブル１５３（図１８））を購読者情報管理テーブル５１（図４）より取得し、取得されたタイムテーブルにおいてカレント配信先アドレス種別に係るものを処理対象とする（Ｓ５１）。ここで、処理対象とされたタイムテーブルを、以下「カレントタイムテーブル」という。
【０１５３】
続いて、配信情報登録部１６は、カレントタイムテーブルにおける全ての時間帯について処理を完了したか否かを判定する（Ｓ５２）。処理が完了していない場合、一つの時間帯が処理対象とされ（カレント時間帯）、ステップＳ５３に進む。
【０１５４】
ステップＳ５３において、配信情報登録部１６は、カレントタイムテーブルにおける開封率・クリック率タイムテーブル１５１のカレント時間帯において開封率及びクリック率が高いジャンルを選択する（Ｓ５３）。なお、ここでは、開封率が最も高いものだけでなく、複数のジャンルが選択され得る。続いて、配信情報登録部１６は、選択されたジャンルの中から一つのジャンル（以下「カレントジャンル」という。）を選択する（Ｓ５４）。
【０１５５】
続いて、配信情報登録部１６は、カレントタイムテーブルにおける配信間隔テーブル１５３等に基づいて、カレントジャンルのメールを今回配信するとした場合の配信頻度の適否を判定する（Ｓ５５）。すなわち、情報メール種別がカレントジャンルと同じ配信情報（図８）の中から前回の配信日時（又は配信予定日時）と、今回の配信予定日との差分が算出される。更に、配信間隔タイムテーブル１５３において、カレントジャンルについて算出された差分（間隔）の開封率が所定の閾値を超えているか否かが判定される。開封率が、所定の閾値を超えている場合、配信頻度は適切と判定され、超えていない場合、判定頻度は不適切と判定される。
【０１５６】
配信頻度は適切であると判定された場合（Ｓ５５でＹｅｓ）、配信情報登録部１６は、カレント時間帯に配信する一通分の情報メールの内容を生成する（Ｓ５６）。続いて、配信情報登録部１６は、情報メールの内容や、配信先アドレス及び配信予定日時等、その他の配信情報を配信情報管理テーブル５７（図８）に登録する（Ｓ５７）。
【０１５７】
ステップＳ５４からＳ５５又はＳ５６までの処理が全てのジャンルについて繰り返されることにより（Ｓ５８）、カレント購読者のカレント送信先アドレス種別に対してカレント時間帯に配信すべき配信情報が配信情報管理テーブル５７（図８）に登録される。
【０１５８】
更に、ステップＳ５３からステップＳ５８までの処理が全ての時間帯について繰り返されることにより（Ｓ５２）、カレント購読者のカレント送信先アドレス種別に対して各時間帯に配信すべき配信情報が配信情報管理テーブル５７（図８）に登録される。
【０１５９】
更に、図２８の処理が全ての購読者の各配信先アドレス種別について行われることにより、全ての購読者の各配信先アドレスに対して各時間帯に配信すべき配信情報が配信情報管理テーブル５７（図８）に登録される。
【０１６０】
続いて、ステップＳ５３（図２８）の、開封率・クリック率タイムテーブル１５１における開封率及びクリック率に基づく配信対象とするジャンルの選択処理について説明する。
【０１６１】
図２９は、開封率・クリック率タイムテーブルにおける開封率及びクリック率に基づく配信対象ジャンルの選択処理を説明するためのフローチャートである。
【０１６２】
まず、配信情報登録部１６は、カレントの開封率・クリック率タイムテーブル１５１より、カレント時間帯における各ジャンルの開封率及びクリック率を取得する（Ｓ５３ａ）。続いて、配信情報登録部１６は、開封率及びクリック率に基づいて各ジャンルに対するポイントを算出する。ここで、ポイントは例えば、以下の式で求められる。
【０１６３】
ポイント＝（２−（開封率×係数Ａ＋クリック率×係数Ｂ））×（０より大きく１以下の乱数）
ここで、係数Ａは、開封率に対する重み付けであり０より大きく１以下の値をとる。また、係数Ｂは、クリック率に対する重み付けであり０より大きく１以下の値をとる。なお、乱数を乗ずるのは、開封率又はクリック率が高いジャンルが常に配信対象とされ、それ以外のジャンルが全く配信されなくなってしまうという事態を回避するためである。
【０１６４】
続いて、配信情報登録部１６は、ポイントが所定の閾値以下のジャンルを選択する（Ｓ５３ｃ）。ここで、所定の閾値は０より大きく１以下の値とする。少なくとも一つのジャンルが選択された場合（Ｓ５３ｄでＹｅｓ）、配信情報登録部１６は、選択されたジャンルを配信対象として選択する（Ｓ５３ｅ）。
【０１６５】
一方、選択されたジャンルが一つも存在しない場合、配信情報登録部１６は、カレント購読者のデフォルトタイムテーブルにおける開封率・クリック率タイムテーブル１５１に基づいてＳ５３ａ及びＳ５３ｂと同様の処理を実行することにより、ジャンルごとにポイントを算出し（Ｓ５３ｆ、Ｓ５３ｇ）、ポイントが最も低いジャンルを配信対象として選択する（Ｓ５３ｈ）。
【０１６６】
ここで、デフォルトタイムテーブルを用いることは、以下のような意義がある。すなわち、ステップＳ５３ｃにいてポイントが閾値以下のジャンルが存在しないということは、過去の履歴に基づいて情報メールを配信したとしても購読者に閲読される可能性は低いものと予想される。一方、デフォルトタイムテーブルは、カレント購読者の履歴に基づくものではないので、デフォルトタイムテーブルに基づいてジャンルを選択すれば、カレント購読者にこれまで配信されていなかったジャンルの情報を配信できる可能性を高めることができる。すなわち、これまでと異なった情報を配信することで購読者の新たなニーズ又は嗜好を探ろうというわけである。
【０１６７】
上記において、係数Ａ、係数Ｂ、及びステップＳ５３ｃにおける所定の閾値は、例えば管理者が予め定めればよい。
【０１６８】
続いて、ステップＳ５６（図２８）における情報メールの生成処理につい説明する。図３０は、一通分の情報メールの生成処理を説明するためのフローチャートである。ここで処理対象とされる一通分の情報メールを、以下「カレントメール」という。
【０１６９】
まず、配信情報登録部１６は、配信量タイムテーブル１５２（図１７）より、カレントジャンルのカレント時間帯に関する平均行数を取得する（Ｓ５６ａ）。続いて、配信情報登録部１６は、取得された平均行数に所定値Ａを乗じた値を送信最大行数とする（Ｓ５６ｂ）。但し、算出された送信最大行数が所定値Ｂ以下の場合は、所定値Ｂを送信最大行数とする。ここで、所定値Ａは、ユーザが閲読していると推定される行数の何倍の行数のメールを送信するかを規定する値である。また、所定値Ｂは、情報メールの最低行数を規定する値である。いずれの値も管理者等が予め定めておけばよい。
【０１７０】
続いて、配信情報登録部１６は、原稿情報管理テーブル５４（図２）より原稿種別がカレントジャンルに該当し、カレント購読者に未配信の原稿情報の一覧を取得する（Ｓ５６ｃ）。なお、各原稿が、カレント購読者に対して未配信であるか否かは、カレント購読者に対する配信情報（図８）の原稿ＩＤに基づいて判定すればよい。
【０１７１】
続いて、配信情報登録部１６は、取得された原稿情報の一覧から登録日時の新しい順に一つの原稿情報を取り出す（Ｓ５６ｄ）。ここで取り出された原稿情報を、以下「カレント原稿情報」という。
【０１７２】
続いて、配信情報登録部１６は、カレントメールに掲載する一件分の広告を開封率・クリック率タイムテーブル１５１（図１６）に基づいて決定する（Ｓ５６ｅ）。すなわち、まず、開封率・クリック率タイムテーブル１５１よりジャンルごとのクリック率の一覧を取得する。続いて、以下の値により各ジャンルに対するポイントを算出する。
【０１７３】
ポイント＝（クリック率＋所定値）×（０より大きく１以下の乱数）
ここで、所定値の大小を調節することにより、配信対象とする広告を決定する際のクリック率の影響の大小を調節することができる。この所定値は、例えば、管理者が予め定めておけばよい。なお、乱数を乗ずるのはクリック率が高いジャンルの広告が常に配信対象とされ、それ以外の広告が全く配信されなくなってしまうという事態を回避するためである。続いて、ポイントの値が最も大きいジャンルを広告種別とする広告情報を広告情報管理テーブル５５（図３）よりランダムに１件取得する。ここで取得された広告情報を、以下「カレント広告情報」という。
【０１７４】
ステップＳ５６ｅに続いてステップＳ５６ｆに進み、配信情報登録部１６は、カレント原稿情報の原稿行数とカレント広告情報の広告行数と現時点でのカレントメールの行数との合計が送信最大行数を超えるか否かを判定する。送信最大行数を超えない場合（Ｓ５６ｆでＮｏ）、配信情報登録部１６は、カレント原稿情報の原稿内容と、カレント広告情報の広告内容とをカレントメールの内容に追加する（Ｓ５６ｇ）。この際、カレントメール内でカレント広告情報に係る広告が記載される行数を算出し、その行数をカレントメールの情報メールＩＤ、カレント購読者の購読者ＩＤ、及びカレント広告情報の広告IDとともにその広告へのリンクの引数として記載する（図１５）。但し、必ずしも行数そのものを記載する必要はない。例えば、行数については、配信情報における広告IDに関連付けて保存しておいてもよい。リンクがクリックされた際に、その引数に含まれている広告IDによって当該広告の行番号を知ることができるからである。
【０１７５】
一方、送信最大行数を超えてしまう場合（Ｓ５６ｆでＹｅｓ）、カレントメールへの追加は行われない。
【０１７６】
ステップＳ５６ｄからＳ５６ｆ又はＳ５６ｇまでの処理が一覧に含まれるすべての原稿情報について行われると（Ｓ５６ｈ）、一通分の情報メールの作成が完了する。
【０１７７】
このように作成された情報メールは、その配信情報に係る配信予定日時に情報メール配信部１７によって送信される。
【０１７８】
上述したように、本発明の実施の形態における情報メール配信サーバ１０によれば、開封履歴やクリック履歴に基づいてタイムテーブルを作成し、タイムテーブルに基づいて情報メールの作成及び配信を行うため、ユーザが「読みたい内容」の情報を「読みたいとき」、「読みたい量」、「読みたい頻度」、「読みたい端末」に配信することができる。その結果、情報メールの開封率の向上が見込まれ、また解約者数の減少も期待できる。
【０１７９】
また、タイムテーブルは、自動的に生成される。すなわち、ユーザに煩雑な設定を行わせる必要はない。したがって、ユーザ登録時のユーザの作業負担を増加させることなく、ユーザのニーズを把握し、そのニーズに適した情報の配信を行うことができる。
【０１８０】
また、タイムテーブルは日々更新されるため、購読者のニーズの変化に動的に対応して情報メールを配信することができる。よって、ユーザの興味が変化した場合であっても、ユーザに各種情報の再設定を行わせる必要はない。
【０１８１】
また、購読者のメーラーの起動時間を推測し、その時間に情報メールの配信を行うため、情報メールが他のメールに埋もれて未開封のまま削除されてしまう可能性を低下させることができる。すなわち、情報メールの配信は、開封率・クリック率タイムテーブル１５１（図１６）の開封率を参照して判断されるところ、開封率は、メーラーが起動している可能性の高さを示す指標である。したがって、開封率が高い時間帯に情報メールを配信すれば、メーラーが起動されている時間帯に情報メールが受信されることが期待できる。一般的に、メーラーが起動される前に送信されたメールよりも、メーラーが起動されている最中に送信されたメールの方が閲読される可能性は高いと考えられる。メーラーの起動時には、一度に複数のメールが受信され、閲読されずに削除されてしまう可能性が高いのに対し、メーラーの起動中は、新たなメールが受信された旨がユーザに認識され開封される可能性が高まると考えられるからである。
【０１８２】
また、情報メールの開封や広告のクリックによって購読者に対してポイントが付与されるため、例えば、ポイントの蓄積により購読者に特典を与えるようなサービスを提供することにより、情報メールの開封やクリックに対する動機付けを高めることができる。
【０１８３】
以上、本発明の好ましい実施例について詳述したが、本発明は係る特定の実施形態に限定されるものではなく、特許請求の範囲に記載された本発明の要旨の範囲内において、種々の変形・変更が可能である。
【符号の説明】
【０１８４】
１            情報メール配信システム
１０          情報メール配信サーバ
１１          ユーザ管理部
１２          履歴情報取得部
１３          原稿登録部
１４          広告原稿登録部
１５          タイムテーブル作成部
１６          配信情報登録部
１７          情報メール配信部
２０          購読者端末
２１          Ｗｅｂブラウザ
２２          メーラー
３０          管理者端末
３１          Ｗｅｂブラウザ
５１          購読者情報管理テーブル
５２          開封履歴管理テーブル
５３          クリック履歴管理テーブル
５４          原稿情報管理テーブル
５５          広告情報管理テーブル
５６          デフォルトタイムテーブル管理テーブル
５７          配信情報管理テーブル
１００        ドライブ装置
１０１        記録媒体
１０２        補助記憶装置
１０３        メモリ装置
１０４        演算処理装置
１０５        インタフェース装置
Ｂ            バス
【図１】
0005500039.tif 000002
【図２】
0005500039.tif 000003
【図３】
0005500039.tif 000004
【図４】
0005500039.tif 000005
【図５】
0005500039.tif 000006
【図６】
0005500039.tif 000007
【図７】
0005500039.tif 000008
【図８】
0005500039.tif 000009
【図９】
0005500039.tif 000010
【図１０】
0005500039.tif 000011
【図１１】
0005500039.tif 000012
【図１２】
0005500039.tif 000013
【図１３】
0005500039.tif 000014
【図１４】
0005500039.tif 000015
【図１５】
0005500039.tif 000016
【図１６】
0005500039.tif 000017
【図１７】
0005500039.tif 000018
【図１８】
0005500039.tif 000019
【図１９】
0005500039.tif 000020
【図２０】
0005500039.tif 000021
【図２１】
0005500039.tif 000022
【図２２】
0005500039.tif 000023
【図２３】
0005500039.tif 000024
【図２４】
0005500039.tif 000025
【図２５】
0005500039.tif 000026
【図２６】
0005500039.tif 000027
【図２７】
0005500039.tif 000028
【図２８】
0005500039.tif 000029
【図２９】
0005500039.tif 000030
【図３０】
0005500039.tif 000031